(57)【要約】      （修正有）【課題】ゴルフティーの紛失を防止すると共に、破損し難いゴルフティーを提供する。【解決手段】ゴルフティー１は、ピン本体１０と、ピン本体１０と連結されるプレート２０とを備えるゴルフティー１において、プレート２０は、ピン本体１０がスライド自在に挿入されて連結される挿入穴２２を有し、ピン本体１０は、手元側に形成された球台座１１と、先端側に形成された、挿入穴２２の内径よりも最大径の大きい抜け防止突出部と、を有する。【選択図】図１
2020203072.tif 000002
【特許請求の範囲】
【請求項１】
ピン本体と、前記ピン本体と連結されるプレートとを備えるゴルフティーにおいて、
前記プレートは、前記ピン本体がスライド自在に挿入されて連結される挿入穴を有し、
前記ピン本体は、
手元側に形成された球台座と、
先端側に設置された、前記挿入穴の内径よりも最大径の大きい抜け防止突出部と、を有することを特徴とするゴルフティー。
【請求項２】
前記ピン本体は、前記プレートとの連結時に前記抜け防止突出部と前記プレートとの間に位置する、前記挿入穴の内径よりも外径の大きな弾性筒状部材である第二抜け防止突出部をさらに有し、
第二抜け防止突出部の内径は、前記ピン本体の外径よりも小さく、前記第二抜け防止突出部は、筒内を貫通する前記ピン本体に対して軸方向に移動自在であって、且つ、所定の位置に弾性力により固定自在であることを特徴とする請求項１記載のゴルフティー。
【請求項３】
前記プレートは、弾性体から構成され、前記挿入穴を補強するためにその周囲に設置された筒状補強部材をさらに備えることを特徴とする請求項１又は２記載のゴルフティー。
【請求項４】
前記筒状補強部材は、金属製の筒体であり、前記挿入穴の部分に位置する前記筒状補強部材の補強挿入穴の内径が前記ピン本体の外径よりも大きいことを特徴とする請求項３記載のゴルフティー。
【請求項５】
前記筒状補強部材の内部は、前記弾性体が存在しない中空であることを特徴とする請求項３又は４記載のゴルフティー。
【請求項６】
前記ピン本体は、その長手方向に延在するスリットが前記抜け防止突出部の内側に形成され、外力が加わった際の一時的な変形により前記抜け防止突出部の最大径が前記挿入穴の内径よりも小さくなることを特徴とする請求項１乃至５何れか１項記載のゴルフティー。
【請求項７】
前記抜け防止突出部は、先端側に設置された徐々に外径が大きくなる緩傾斜面が形成されていることを特徴とする請求項１乃至６何れか１項記載のゴルフティー。
【発明の詳細な説明】
【技術分野】
【０００１】
本発明は、ゴルフのティーショットの際に用いるゴルフティーに関する。
【背景技術】
【０００２】
ゴルフのティーショットの際、ゴルフボールを地面から浮かせて支持するために、ティーグラウンドの地面に挿して使用されるゴルフティーが用いられており、従来から、様々な構造のゴルフィーが提供されている。
【０００３】
ところで、ティーショットの際には、ゴルフクラブのヘッドがゴルフティーにも当たり、ゴルフティーも地面から抜けて飛んでしまう。このため、ティーショット後には、飛んだゴルフティーを探す必要があるが、ゴルフティーは通常ピン形状であるため、地面に横たわっていると見つけ難く、特に、草地まで飛ばされると、草の中に潜ってしまって、見つからずに放置されてしまうゴルフティーも少なくない。
【０００４】
これに対して、下記特許文献１，２には、ゴルフティーに平板状のプレートを固定して連結することで、ゴルフティーを飛び難くし、また、ゴルフティーが草地まで飛んだ場合でも、ゴルフティーが地面に横たわって草の中に隠れ難いようにした構造のゴルフティーやゴルフティーの紛失防止具が開示されている。
【先行技術文献】
【特許文献】
【０００５】
【特許文献１】特開平７−３１７０１号公報
【特許文献２】特開２００５−２２４５７９号公報
【発明の概要】
【発明が解決しようとする課題】
【０００６】
しかし、従来のゴルフティー等では、ゴルフクラブのヘッドがゴルフティーにあたった際の衝撃がピン本体とプレートとの連結部分に集中し、ピン本体がプレートから抜けたり、破損してしまって再度ピン本体にプレートを固定できなくなってしまうといった問題がある。
【０００７】
本発明は、このような課題に鑑みてなされたものであり、ゴルフティーの紛失を防止すると共に、破損し難いゴルフティーを提供することを目的とする。
【課題を解決するための手段】
【０００８】
上記課題を解決するために、本発明に係るゴルフティーは、ピン本体と、前記ピン本体と連結されるプレートとを備えるゴルフティーにおいて、前記プレートは、前記ピン本体がスライド自在に挿入されて連結される挿入穴を有し、前記ピン本体は、手元側に形成された球台座と、先端側に形成された、前記挿入穴の内径よりも最大径の大きい抜け防止突出部と、を有することを特徴とする。
【発明の効果】
【０００９】
本発明に係るゴルフティーによれば、ピン本体がスライド自在にプレートの挿入穴に挿入されるため、ゴルフティーに衝撃が加えられた際でもピン本体とプレートとがスライドすることで、衝撃を逃がし、破損を防止することができる。
【図面の簡単な説明】
【００１０】
【図１】図１は、本発明の第一の実施の形態に係るゴルフティーの斜視図である。
【図２】図２は、本発明の第一の実施の形態に係るピン本体の正面図である。
【図３】図３は、本発明の第一の実施の形態に係るピン本体の側面図である。
【図４】図４は、本発明の第一の実施の形態に係るプレートの平面図である。
【図５】図５は、本発明の第一の実施の形態に係るプレートの断面図である。
【図６】図６は、本発明の第一の実施の形態に係るゴルフティーの挿入時の連結部分の拡大断面図である。
【図７】図７は、本発明の第一の実施の形態に係るゴルフティーの挿入後の連結部分の拡大断面図である。
【図８】図８は、本発明の第一の実施の形態に係るゴルフティーの使用態様を説明する図である。
【図９】図９は、本発明の第一の実施の形態の変形例に係るピン本体の正面図である。
【図１０】図１０は、本発明の第一の実施の形態の変形例に係るプレートの断面図である。
【図１１】図１１は、本発明の第一の実施の形態の変形例に係るピン本体の正面図である。
【図１２】図１２は、本発明の第一の実施の形態の変形例に係るゴルフティーの挿入後の連結部分の拡大断面図である。
【図１３】図１３は、本発明の第二の実施の形態に係るゴルフティーの斜視図である。
【図１４】図１４は、本発明の第二の実施の形態に係るプレートの断面図である。
【図１５】図１５は、本発明の第二の実施の形態の変形例に係るゴルフティーの一部断面の正面図である。
【発明を実施するための形態】
【００１１】
以下、図面を参照しながら、本発明の第一実施形態について説明する。まず、図１〜図８を参照しながら、ゴルフティー１の構成について説明する。ゴルフティー１は、ゴルフボールが載置される棒状のピン本体１０と、ピン本体１０が貫通するプレート２０とを備える。本明細書では、ティーショット時に地面に差し込まれるピン本体１０の下端側を先端側、ゴルフボールが載置される上端側を手元側とする。
【００１２】
ピン本体１０は、上端に位置する球台座１１と、先端側に形成された抜け防止突出部１３と、抜け防止突出部１３の近傍に形成された挿入用スリット１８とを備えている。ピン本体１０の先端は、地面に突き刺せるように尖っており、ピン本体１０は、先端部において、先端に向かって徐々に細くなる先細り形状となっている。
【００１３】
球台座１１は、その上端にゴルフボールを保持する構造であり、複数の突起部１１ａが全体的にお椀形状に上方に突出しており、同一平面上に位置する複数の突起部１１ａの上端でゴルフボールを安定して支持することができる。もちろん、球台座１１の形状は適宜変更可能である。
【００１４】
抜け防止突出部１３は、ピン本体１０の先端から所定の距離離れた先端寄り（先端側）に形成されており、ピン本体１０の長手方向軸回りの180°離れた対向する2箇所において突出設置されている。抜け防止突出部１３は、後述するプレート２０の挿入穴２２にいったん挿入されたピン本体１０が抜けないように機能する。
【００１５】
抜け防止突出部１３は、最も大きく突出した最大突出部１３ａから、先端側に位置する先端側緩傾斜部１４と、手元側に形成された抜け防止急傾斜部１５とを備える。ここで、本実施形態において、ピン本体１０の全長は85mm、外径（直径）は4.2mmであり、抜け防止突出部１３の最大突出部１３ａの外径（直径）は4.8mmである。抜け防止突出部１３の最大突出部１３ａは、ピン本体１０の外表面から0.3mm突出している。
【００１６】
先端側緩傾斜部１４は、ピン本体１０の外表面に対して緩やかな角度で傾斜したテーパー面であり、最大突出部１３ａから先端に向かって徐々に細くなる部分である。本実施形態では、先端側緩傾斜部１４の長手方向の長さは、4mmであり、先端側緩傾斜部１４の先端側端部は、ピン本体１０の先端から12mmの所に位置する。
【００１７】
抜け防止急傾斜部１５は、ピン本体１０の外表面に対して大きな角度で交わる急傾斜面であり、本実施形態では、正面視において斜め上方に凸のＲ面（半径約0.4mm）となっており、ピン本体１０の外表面とは略垂直に交差している。
【００１８】
挿入用スリット１８は、ピン本体１０の先端側に形成されたピン本体１０を水平方向に貫通するスリット穴であり、挿入用スリット１８は、2つの抜け防止突出部１３が対向する対向方向と直交する方向にピン本体１０を貫通している。
【００１９】
挿入用スリット１８は、長手方向において、抜け防止突出部１３と重畳する位置に形成されている。挿入スリット１８の幅は1mm、長手方向の長さは10mmであり、その長手方向の先端側端部は、ピン本体１０の先端から10mmの所に位置する。
【００２０】
ピン本体１０の挿入用スリット１８が形成されている領域では、挿入用スリット１８の貫通方向と水平に直交する方向（2つの抜け防止突出部の対向方向）において、ピン本体１０の外表面を内側に押すと、挿入用スリット１８の幅が小さくなるように変形し、ピン本体１０を細くすることができる。本実施形態では、貫通方向と直交する方向において最大約1mm細くすることができる。
【００２１】
本実施形態では、挿入用スリット１８の長手方向の長さが抜け防止突出部１３よりも長く、抜け防止突出部１３の長手方向の形成領域全体に挿入用スリット１８が重畳して設置されているため、後述するように、ピン本体１０をプレート２０の挿入穴２２に挿入する際に、抜け防止突出部１３の最大突出部１３ａの部分を一時的に細くして挿入することができる。
【００２２】
プレート２０は、弾性体から形成された円形板状の弾性シート２１と、筒状補強部材２５とを備えている。弾性シート２１の中心には、ピン本体１０が貫通される挿入穴２２が形成されている。弾性シート２１は、弾性のある合成樹脂から形成されており、本実施形態では、透明なシリコーンゲルが使用されている。弾性シート２１の直径は40mm、挿入穴２２の内径は4.5mmである。
【００２３】
筒状補強部材２５は、全体として略円筒形状をした金属製（ステンレス製）の補強部材であり、挿入穴２２を囲うように弾性シート２１内に設置されている。筒状補強部材２５は、小径の上側円筒部２５ａと、大径の下側円筒部２５ｂとを備えた、2段構成である。上側円筒部２５ａと下側円筒部２５ｂとの境界部分は、水平な円帯板状である中段平面部２７により接続されている。
【００２４】
上側円筒部２５ａの上面中央には、上側円筒部２５ａの外径よりも一回り小さい、挿入穴２２と略同じ場所に位置する補強挿入穴２８が形成されており、ピン本体１０は、補強挿入穴２８に挿入される。補強挿入穴２８の内径は、約4.5mmである。
【００２５】
なお、図５、図６等に示すように、筒状補強部材２５の内部は、弾性シート２１が存在しない中空部２９となっている。すなわち、弾性シート２１は、筒状補強部材２５の上面、外側面、下面等の外表面を覆うように設置されている。
【００２６】
ピン本体１０を先端からプレート２０の挿入穴２２に上方から挿入する際には、ピン本体１０の直径が4.2mmであるのに対して、補強挿入穴２８の内径が4.5mmであるため、ピン本体１０は補強挿入穴２８に挿入可能であるが、抜け防止突出部１３の最大突出部１３ａでは最大径が4.8mmであり、補強挿入穴２８の内径よりも大きいため、そのままでは最大突出部１３ａが補強挿入穴２８に引っかかって挿入することができない。ここで、最大径とは、抜け防止突出部１３の径方向（長手方向に直交する水平方向）における最も長い部分の大きさである。
【００２７】
しかし、本実施形態では、抜け防止突出部１３の設置領域の内部に挿入用スリット１８が形成されており、挿入に際して、抜け防止突出部１３の先端側緩傾斜部１４が補強挿入穴２８の周縁に接触することで、径方向内側へ押されると、挿入用スリット１８が幅方向（径方向）に小さくなるように変形する（図６参照）。
【００２８】
これにより、最大突出部１３ａの部分の直径も小さくなり、最大突出部１３ａが補強挿入穴２８を通過可能となる。挿入用スリット１８の幅が1mmであり、最大突出部１３ａは最大約1mm細く、すなわち、約3.8mmまで細くなることが可能である。
【００２９】
図７（ａ）に示すように、抜け防止突出部１３全体が補強挿入穴２８を通過する所まで、いったんピン本体１０がプレート２０に挿入されると、ピン本体１０の直径4.2mmの部分は内径4.5mmの補強挿入穴２８に対してスライド自在となり、球台座１１の下面がプレート２０に接触するまでピン本体１０は挿入穴２２に挿入可能である。
【００３０】
すなわち、ピン本体１０が挿入穴２２にいったん挿入されると、プレート２０が抜け防止突出部１３と接触する位置と、プレート２０が球台座１１に接触する位置との間で、ピン本体１０とプレート２０とが貫通連結した状態で相対的にスライド自在となる。
【００３１】
また、本実施形態では、補強挿入穴２８（挿入穴２２）の内径（4.5mm）がピン本体１０の外径（4.2mm）よりも僅かに大きく、挿入連結部分に遊びがあるため、ピン本体１０はプレート２０に対して所定の傾斜角度内で全ての方向に揺動自在である。
【００３２】
一方、挿入されたピン本体１０が挿入穴２２から抜ける方向に移動する場合には、直径4.8mmの最大突出部１３ａの手元側（上側）にある抜け防止急傾斜部１５が下方から補強挿入穴２８（挿入穴２２）の周縁に衝突し、それ以上抜ける方向に移動することができない。
【００３３】
このとき、抜け防止急傾斜部１５が補強挿入穴２８の下端周縁に接触しても、ピン本体１０の外表面に対する傾斜角度が大きく、特に、ピン本体１０の外表面からの立ち上がり部分が略90°となっているため、抜け防止急傾斜部１５を径方向内側に押す、すなわち、挿入用スリット１８を小さく変形させる方向の力が作用することはほとんどない。
【００３４】
よって、いったんピン本体１０がプレート２０の挿入穴２２に挿入されると、人為的に抜け防止突出部１３を細く変形させない限り、容易に抜けることはない。抜け防止突出部１３の手元側端部に位置する抜け防止急傾斜部１５の形状は適宜変更可能であり、ピン本体１０の表面に垂直な平面であっても良く、プレート２０の挿入穴２２の周縁に衝突する際に、挿入用スリット１８を変形させて抜け防止突出部１３を細くする力が作用しないような形状であれば良い。
【００３５】
以上、ゴルフティー１の構成について説明したが、続いて、ゴルフティー１の使用態様について、図８を参照しながら説明する。同図に示すように、ゴルフティー１は、ティーショット時にティーグランドに挿して使用する。
【００３６】
ゴルフティー１を地面に挿す際には、球台座１１の上に置かれるゴルフボール５が所望の高さとなるように、所定の深さまでピン本体１０を地面に挿し込む。このとき、球台座１１と抜け防止突出部１３との間に位置するプレート２０は、ピン本体１０に対して長手方向にスライド自在であるため、地面に挿す際に邪魔になることなく、地面に接触する位置へと適宜スライドさせることができる。
【００３７】
ゴルフティー１のセッティングの際に、地面の上に接触するプレート２０の筒状補強部材２５の中空部２９内にティーグラウンドの芝生が入り込むと、芝生によりピン本体１０やプレート２０が安定して支持される。
【００３８】
続いて、ティーショット時に、ゴルフクラブのヘッドがゴルフティー１、特に、ピン本体１０の球台座１１等に水平方向に衝突すると、ピン本体１０は地面から抜けて衝突方向へと飛ばされる。
【００３９】
このとき、ピン本体１０は、挿入穴２２に嵌挿されてプレート２０と連結されており、ピン本体１０と一体にプレート２０も飛ぶことになる。このとき、プレート２０はある程度の質量があり、また、空気抵抗も受けるため、ゴルフティー１が飛ぶ距離が短くなる。
【００４０】
また、飛ばされたゴルフティー１が地面に落下しても、ピン本体１０とプレート２０とが所定の角度（所定の揺動角度内）で交差しているため、ピン本体１０が地面に水平に横たわることなく、ピン本体１０やプレート２０が上方に突出するため、草地等に落下した場合でも容易に見つけやすい。
【００４１】
さらに、ゴルフクラブのヘッドがゴルフティー１に衝突する際、ピン本体１０とプレート２０との連結部分に衝撃が加わるが、ピン本体１０とプレート２０との連結部分に遊びがあるため、ピン本体１０がプレート２０に対して揺動することで、衝撃を逃がし、破損を防止することもできる。
【００４２】
続いて、本実施形態の変形例について説明する。まず、変形例１，２に係るピン本体１０’，１０’’について、図９を参照しながら説明する。図９（ａ）は、変形例１に係るピン本体１０’の正面図である。本変形例１では、抜け防止突出部１３’の構成が上記実施形態の抜け防止突出部１３と異なり、抜け防止突出部１３’は、雄ねじである。
【００４３】
抜け防止突出部１３’の雄ねじは、その最大径が筒状補強部材２５の補強挿入穴２８の内径よりも大きく、真っ直ぐ挿し込むだけでは補強挿入穴２８を通過することはできないが、ピン本体１０’を捻りながらねじ込むことで、補強挿入穴２８を通過することができるように構成されている。よって、本変形例１においても上記実施形態と同様の作用効果を奏する。
【００４４】
図９（ｂ）は、変形例２に係るピン本体１０’’の正面図である。本変形例２では、挿入用スリット１８’の構成が上記実施形態の挿入用スリット１８と異なり、挿入用スリット１８’は、ピン本体１０’’の先端まで形成されており、ピン本体１０’’の先端が2つに分割されている。
【００４５】
本変形例２によれば、上記実施形態と同様の作用効果を奏すると共に、挿入用スリット１８’が先端まで形成されていることで、挿入時にピン本体１０’’の先端が容易に細くなるため、ピン本体１０’’の補強挿入穴２８への挿入をより簡単に行うことができる。
【００４６】
次に、変形例３に係るプレート２０’について、図１０を参照しながら説明する。図１０は、変形例３に係るプレート２０’の断面図である。本変形例３では、弾性シート２１’の構成が上記実施形態の弾性シート２１と異なり、弾性シート２１’は、筒状補強部材２５の内部にも設置されている。
【００４７】
本変形例３では、筒状補強部材２５の補強挿入穴２８の内側にも弾性シート２１’が存在するため、挿入されるピン本体１０は、筒状補強部材２５の内縁ではなく、弾性シート２１’に接触する。
【００４８】
よって、本変形例３によれば、上記実施形態と同様の作用効果を奏すると共に、ゴルフクラブのヘッドがゴルフティー１に衝突する際に、ピン本体１０とプレート２０’との連結部分に作用する衝撃を弾性シート２１’によって和らげることができる。
【００４９】
続いて、変形例４に係るピン本体１０’’’について、図１１及び図１２を参照しながら説明する。図１１は、変形例４に係るピン本体１０’’’の正面図である。図１２は、変形例４に係る挿入後の連結部分の拡大断面図である。
【００５０】
本変形例４では、挿入後にプレート２０と抜け防止突出部１３との間に位置する第二の抜け防止突出部として、ピン本体１０’’’に、弾性樹脂や弾性ゴム等の弾性体（例えば、ＮＢＲ、シリコーンゲル、ポリウレタン、ポリプロピレン、ポリエチレン、ＥＶＡ製等）から形成された筒状部材である第二抜け防止突出部１６を設置したことを特徴とする。
【００５１】
第二抜け防止突出部１６は二段の円筒形状であり、上側が細径部、下側が大径部となっているが、上下に貫通する筒穴は同じ内径である。筒穴の内径は、ピン本体１０'''の外径よりも小さいため、筒内を貫通するピン本体１０’’’に対して、第二抜け防止突出部１６は、軸方向に移動自在であって、且つ、筒内を貫通するピン本体１０’’’の軸方向の所定の位置に弾性力の締め付けにより固定自在である。
【００５２】
本変形例４によれば、ピン本体１０’’’に、抜け防止突出部１３に加えて、抜け防止突出部１３の最大径よりも外径の大きい第二抜け防止突出部１６をさらに設けているため、プレート２０の挿入穴２２に挿入したピン本体１０’’’が抜けるのをより確実に防止することができる。
【００５３】
また、第二抜け防止突出部１６の先端側に抜け防止突出部１３が位置するため、ピン本体１０’’’に対して移動自在な第二抜け防止突出部１６がピン本体１０’’’から抜けるのも防止することができる。
【００５４】
また、第二抜け防止突出部１６は弾性体であり、図１２（ｂ）に示すように、ピン本体１０’’’がプレート２０に対して傾斜しても、ピン本体１０'''と筒状補強部材２５との間に弾性体の第二抜け防止突出部１６が介在することで、ピン本体１０’’’が金属製の筒状補強部材２５に強く衝突して破損したりするのを防止することができる。
【００５５】
特に、ティーショット時にクラブのヘッドがピン本体１０’’’に当たるなどすると、ピン本体１０’’’が筒状補強部材２５に強く押し付けられて折れてしまうケースもあるが、ピン本体１０と筒状補強部材２５との間に第二抜け防止突出部１６が介在することで、このような破損を防止することができる。
【００５６】
続いて、本発明の第二実施形態について、図１３及び図１４を参照しながら説明する。第二実施形態に係るゴルフティー２は、上記ゴルフティー１と同様の構成を有するため、同様の構成には同じ名称を付して説明を省略し、異なる構成を中心に説明する。
【００５７】
ゴルフティー２は、ゴルフボール５が載置される棒状のピン本体３０と、ピン本体３０が貫通するプレート４０とを備える。ピン本体３０は、球台座３１と、抜け防止突出部として先端側に設置される抜け防止ゴム筒３３とを備えており、上記第一実施形態のような挿入用スリット１８は備えていない。
【００５８】
抜け防止ゴム筒３３は、弾性体から形成された円筒部材であり、その内径がピン本体３０の外径よりも僅かに小さいため、筒内を貫通するピン本体３０の軸方向に移動自在であって、且つ、筒内を貫通するピン本体３０の軸方向所定の位置に弾性力により固定自在である。
【００５９】
プレート４０は、弾性体から形成された円形板状の弾性シート４１と、筒状補強部材４５とを備えている。弾性シート４１の中心には、ピン本体３０が貫通される挿入穴４２が形成されている。
【００６０】
筒状補強部材４５は、全体として略円筒形状をした弾性樹脂や弾性ゴム等の弾性体（例えば、ＮＢＲ、シリコーンゲル、ポリウレタン、ポリプロピレン、ポリエチレン、ＥＶＡ製等）から形成された補強部材であり、挿入穴４２を覆うように弾性シート４１内に設置されている。筒状補強部材４５は、上下方向中段部に、周回溝４６が形成されており、中段部が細くなっている。
【００６１】
弾性シート４１の挿入穴４２の周縁部がこの周回溝４６に嵌まることで、筒状補強部材４５が弾性シート４１の挿入穴４２の周囲に固定される。よって、筒状補強部材４５の上段部４５ａは、弾性シート４１の挿入穴４２の周縁上面を覆い、同じく下段部４５ｂは、弾性シート４１の挿入穴４２の周縁下面を覆っている。  
【００６２】
ゴルフティー２を使用する際には、抜け防止ゴム筒３３を外した状態でピン本体３０を先端からプレート４０の挿入穴４２に通し、その後、抜け防止ゴム筒３３を先端側からピン本体３０に嵌めて所定の位置に固定する。
【００６３】
そうすると、抜け防止ゴム筒３３は、弾性力によりピン本体３０を締め付けるようにピン本体３０の所定の位置に固定され、プレート４０がピン本体３０から抜けようとしても、挿入穴４２の周縁が抜け防止ゴム筒３３に衝突して抜けることができない。
【００６４】
第二実施形態によれば、上記第一実施形態と同様の作用効果を奏すると共に、ピン本体３０に抜け防止突出部１３を一体成形する必要がなく、従来のゴルフティーのピンをピン本体３０として流用することができる。すなわち、従来のゴルフティーのピンにプレート４０を組み合わせれば、本実施形態に係るゴルフティー２を作ることができる。
【００６５】
続いて、本実施形態の変形例５，６について、図１５を参照しながら説明する。図１５（ａ）は、変形例５に係るゴルフティー２’の構成、図１５（ｂ）は、変形例６に係るゴルフティー２’’の構成を示す図である。
【００６６】
変形例５，６においては、上述した第一実施形態の変形例４と同様に、ピン本体３０’，３０’’に、挿入後にプレート４０と抜け防止ゴム筒３３との間に位置する第二の抜け防止突出部として、弾性体で形成された筒状部材である第二抜け防止突出部３６，３６’を設置したことを特徴とする。
【００６７】
第二抜け防止突出部３６，３６’は、抜け防止ゴム筒３３よりも外径が大きい。また、第二抜け防止突出部３６，３６’の内径は、ピン本体３０’，３０’’の外径よりも僅かに小さいため、、第二抜け防止突出部３６，３６’は、筒内を貫通するピン本体３０’，３０’’に対して、軸方向に移動自在であって、且つ、軸方向の所定の位置に弾性力により固定自在である。
【００６８】
よって、本変形例５，６によれば、本実施形態と同様の作用効果を奏すると共に、抜け防止突出部３３，３６を2つ備えることで、上記変形例４と同様の作用効果を奏する。
【００６９】
以上、変形例も含めて本発明の実施形態について説明したが、本発明の実施の形態は上記実施形態に限定されるものではなく、本発明の主旨を逸脱しない範囲内で種々の変形が可能である。例えば、ゴルフティーを構成する各部材のサイズや形状は適宜変更可能である。
【００７０】
例えば、筒状補強部材の素材として、ステンレス以外の金属を採用しても良いし、金属以外の高高度の樹脂を採用しても良い。また、弾性シートの素材もシリコーンゴム以外の弾性素材を採用することができる。また、筒状補強部材の形状は、シンプルな座金形状であっても良い。
【符号の説明】
【００７１】
１      ゴルフティー
１０    ピン本体
１１    球台座
１１ａ  突起部
１３    抜け防止突出部
１３ａ  最大突出部
１４    先端側緩傾斜部
１５    抜け防止急傾斜部
１６    第二抜け防止突出部
１８    挿入用スリット
２０    プレート
２１    弾性シート
２２    挿入穴
２５    筒状補強部材
２５ａ  上側円筒部
２５ｂ  下側円筒部
２７    中段平面部
２８    補強挿入穴
２９    中空部
５      ゴルフボール
２      ゴルフティー
３０    ピン本体
３１    球台座
３３    抜け防止ゴム筒       
３６    第二抜け防止突出部
４０    プレート
４１    弾性シート
４２    挿入穴
４５    筒状補強部材
４５ａ  上段部
４５ｂ  下段部
４６    周回溝
【図１】
2020203072.tif 000003
【図２】
2020203072.tif 000004
【図３】
2020203072.tif 000005
【図４】
2020203072.tif 000006
【図５】
2020203072.tif 000007
【図６】
2020203072.tif 000008
【図７】
2020203072.tif 000009
【図８】
2020203072.tif 000010
【図９】
2020203072.tif 000011
【図１０】
2020203072.tif 000012
【図１１】
2020203072.tif 000013
【図１２】
2020203072.tif 000014
【図１３】
2020203072.tif 000015
【図１４】
2020203072.tif 000016
【図１５】
2020203072.tif 000017
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ピン本体と、前記ピン本体と連結されるプレートとを備えるゴルフティーにおいて、
前記プレートは、前記ピン本体がスライド自在に挿入されて連結される挿入穴を有し、
前記ピン本体は、
手元側に形成された球台座と、
先端側に設置された、前記挿入穴の内径よりも最大径の大きい抜け防止突出部と、を有し、
前記ピン本体は、前記プレートとの連結時に前記抜け防止突出部と前記プレートとの間に位置する、前記挿入穴の内径よりも外径の大きな弾性筒状部材である第二抜け防止突出部をさらに有し、
第二抜け防止突出部の内径は、前記ピン本体の外径よりも小さく、前記第二抜け防止突出部は、筒内を貫通する前記ピン本体に対して軸方向に移動自在であって、且つ、所定の位置に弾性力により固定自在であることを特徴とするゴルフティー。
【請求項２】
前記プレートは、弾性体から構成され、前記挿入穴を補強するためにその周囲に設置された筒状補強部材をさらに備えることを特徴とする請求項１記載のゴルフティー。
【請求項３】
前記筒状補強部材は、金属製の筒体であり、前記挿入穴の部分に位置する前記筒状補強部材の補強挿入穴の内径が前記ピン本体の外径よりも大きいことを特徴とする請求項２記載のゴルフティー。
【請求項４】
前記筒状補強部材の内部は、前記弾性体が存在しない中空であることを特徴とする請求項２又は３記載のゴルフティー。
【請求項５】
前記ピン本体は、その長手方向に延在するスリットが前記抜け防止突出部の内側に形成され、外力が加わった際の一時的な変形により前記抜け防止突出部の最大径が前記挿入穴の内径よりも小さくなることを特徴とする請求項１乃至４何れか１項記載のゴルフティー。
【請求項６】
前記抜け防止突出部は、先端側に設置された徐々に外径が大きくなる緩傾斜面が形成されていることを特徴とする請求項１乃至５何れか１項記載のゴルフティー。
【手続補正２】
【補正対象書類名】明細書
【補正対象項目名】０００８
【補正方法】変更
【補正の内容】
【０００８】
上記課題を解決するために、本発明に係るゴルフティーは、ピン本体と、前記ピン本体と連結されるプレートとを備えるゴルフティーにおいて、前記プレートは、前記ピン本体がスライド自在に挿入されて連結される挿入穴を有し、前記ピン本体は、手元側に形成された球台座と、先端側に設置された、前記挿入穴の内径よりも最大径の大きい抜け防止突出部と、を有し、前記ピン本体は、前記プレートとの連結時に前記抜け防止突出部と前記プレートとの間に位置する、前記挿入穴の内径よりも外径の大きな弾性筒状部材である第二抜け防止突出部をさらに有し、第二抜け防止突出部の内径は、前記ピン本体の外径よりも小さく、前記第二抜け防止突出部は、筒内を貫通する前記ピン本体に対して軸方向に移動自在であって、且つ、所定の位置に弾性力により固定自在であることを特徴とする。